【手続補正書】
【提出日】平成17年4月4日(2005.4.4)
【手続補正１】
【補正対象書類名】明細書
【補正対象項目名】特許請求の範囲
【補正方法】変更
【補正の内容】
【特許請求の範囲】
【請求項１】
記憶装置を管理する情報処理装置に、
前記記憶装置の設定情報を蓄積する設定情報蓄積機能、
蓄積された前記設定情報を前記記憶装置に送信する送信機能、
前記設定情報に対する処理の結果を前記記憶装置から受信する受信機能、
前記処理の結果がエラーである前記設定情報を保存するエラー設定情報保存機能、及び
前記エラーの前記設定情報に対する処理を実行するエラー処理実行機能
を実現させるためのプログラム。
【請求項２】
前記記憶装置に送信する複数の前記設定情報について、操作者による送信の順序の指定又は送信の対象とする前記設定情報の選択に応じ、前記送信機能では、前記指定又は前記選択された前記設定情報を前記記憶装置に送信することを特徴とする請求項１記載のプログラム。
【請求項３】
少なくとも前記エラーの場合の前記設定情報をディスプレイ画面に表示機能を実現させるための請求項１記載のプログラム。
【請求項４】
前記受信機能で受信した前記処理の結果が正常の場合の前記設定情報を削除する正常処理設定情報削除機能を実現させるための請求項１記載のプログラム。
【請求項５】
前記エラー処理実行機能では、操作者による操作に応じて前記処理を実行することを特徴とする請求項１記載のプログラム。
【請求項６】
前記エラー処理実行機能では、エラーの前記設定情報に関する操作者による操作に応じ、あらたな設定情報を生成し、前記記憶装置に送信することを特徴とする請求項５記載のプログラム。
【請求項７】
前記エラー設定情報保存機能による、エラーの前記設定情報を保存する動作と、
前記エラー処理実行機能による、エラーの前記設定情報に関する操作者による操作に応じ、あらたな設定情報を生成し、前記記憶装置に送信する動作と、
を繰り返し実行する機能を実現させるための請求項５記載のプログラム。
【請求項８】
前記エラー処理実行機能による、エラーの前記設定情報に関する操作者による操作は、該エラーの前記設定情報を削除することを特徴とする請求項５記載のプログラム。
【請求項９】
前記エラー処理実行機能による、エラーの前記設定情報に関する操作者による操作は新たな設定情報の追加であることを特徴とする請求項５記載のプログラム。
【請求項１０】
前記設定情報は、前記記憶装置が記憶する論理ボリュームの複製に関する設定の情報であることを特徴とする請求項１記載のプログラム。
【請求項１１】
上位装置からの命令を受領してディスク装置へのデータの書き込み又は読み出しを実行し、前記ディスク装置へのデータの入出力を制御する制御部を有する記憶装置を管理する情報処理装置に、
前記記憶装置による前記データの記憶に関する設定情報の入力画面を表示する表示機能、
前記入力画面を介して入力される前記設定情報を蓄積する機能、
前記記憶装置の前記制御部に対する、蓄積された前記設定情報の送信を指示するための領域を表示する設定情報送信指示領域表示機能、
前記領域に対する操作入力を検出すると、前記制御部に対して前記設定情報を送信する設定情報送信機能、
前記設定情報に対する処理の結果を前記記憶装置から受信する受信機能、
前記処理の結果がエラーである前記設定情報を保存するエラー設定情報保存機能、及び
前記エラーの前記設定情報に対する処理を実行するエラー処理実行機能を、
を実現させるためのプログラム。
【請求項１２】
前記設定情報は、前記上位装置に記憶される情報と、前記ディスク装置の前記制御部に認識される情報とが対応付けられて構成される情報であることを特徴とする請求項１１に記載のプログラム。
【請求項１３】
記憶装置の設定情報を蓄積する設定情報蓄積手段を備えた情報処理装置による情報処理方法であって、
蓄積された前記設定情報を前記記憶装置に送信する送信する送信ステップと、
前記設定情報に対する処理の結果を前記記憶装置から受信する受信ステップと、
前記処理の結果がエラーである前記設定情報を保存するエラー設定情報保存ステップと、
前記エラーの前記設定情報に対する処理を実行するエラー処理実行ステップと、
を備えることを特徴とする情報処理方法。
【請求項１４】
前記記憶装置に送信する複数の前記設定情報について、操作者による送信の順序の指定又は送信の対象とする前記設定情報の選択に応じ、前記送信ステップは、前記指定又は前記選択された前記設定情報を前記記憶装置に送信することを特徴とする請求項１３記載の情報処理方法。
【請求項１５】
少なくとも前記エラーの場合の前記設定情報をディスプレイ画面に表示することを特徴とする請求項１３記載の情報処理方法。
【請求項１６】
前記受信ステップで受信した前記処理の結果が正常の場合の前記設定情報を前記設定情報蓄積手段から削除するステップを備えることを特徴とする請求項１３記載の情報処理方法。
【請求項１７】
前記エラー処理実行ステップは、操作者による操作に応じて前記処理を実行することを特徴とする請求項１３記載の情報処理方法。
【請求項１８】
前記エラー処理実行ステップは、エラーの前記設定情報に関する操作者による操作に応じ、あらたな設定情報を生成し、前記記憶装置に送信することを特徴とする請求項１７記載の情報処理方法。
【請求項１９】
前記エラー設定情報保存ステップによる、エラーの前記設定情報を保存する動作と、
前記エラー処理実行ステップによる、エラーの前記設定情報に関する操作者による操作に応じ、あらたな設定情報を生成し、前記記憶装置に送信する動作と、
を繰り返し実行することを特徴とする請求項１７記載の情報処理方法。
【請求項２０】
前記エラー処理実行ステップによる、エラーの前記設定情報に関する操作者による操作は、該エラーの前記設定情報を前記設定情報蓄積手段から削除することを特徴とする請求項１７記載の情報処理方法。
【請求項２１】
前記エラー処理実行ステップによる、エラーの前記設定情報に関する操作者による操作は新たな設定情報の追加であることを特徴とする請求項１７記載の情報処理方法。
【請求項２２】
前記設定情報は、前記記憶装置が記憶する論理ボリュームの複製に関する設定の情報であることを特徴とする請求項１３記載の情報処理方法。
【請求項２３】
上位装置からの命令を受領してディスク装置へのデータの書き込み又は読み出しを実行し、前記ディスク装置へのデータの入出力を制御する制御部を有する記憶装置を管理する情報処理装置による情報処理方法であって、
前記記憶装置による前記データの記憶に関する設定情報の入力画面を表示する表示ステップと、
前記入力画面を介して入力される前記設定情報を蓄積するステップと、
前記記憶装置の前記制御部に対する、蓄積された前記設定情報の送信を指示するための領域を表示する設定情報送信指示領域表示ステップと、
前記領域に対する操作入力を検出すると、前記制御部に対して前記設定情報を送信する設定情報送信ステップと、
前記設定情報に対する処理の結果を前記記憶装置から受信する受信ステップと、
前記処理の結果がエラーである前記設定情報を保存するエラー設定情報保存ステップと、
前記エラーの前記設定情報に対する処理を実行するエラー処理実行ステップと、
を備えることを特徴とする情報処理方法。
【請求項２４】
前記設定情報は、前記上位装置に記憶される情報と、前記ディスク装置の前記制御部に認識される情報とが対応付けられて構成される情報であることを特徴とする請求項２３に記載の情報処理方法。
【請求項２５】
記憶装置を管理する情報処理装置であって、
前記記憶装置の設定情報を蓄積する設定情報蓄積手段と、
蓄積された前記設定情報を前記記憶装置に送信する送信手段と、
前記設定情報に対する処理の結果を前記記憶装置から受信する受信手段と、
前記処理の結果がエラーである前記設定情報を保存するエラー設定情報保存手段と、
前記エラーの前記設定情報に対する処理を実行するエラー処理実行手段と、
を備えることを特徴とする情報処理装置。
【請求項２６】
前記記憶装置に送信する複数の前記設定情報について、操作者による送信の順序の指定又は送信の対象とする前記設定情報の選択に応じ、前記送信手段は、前記指定又は前記選択された前記設定情報を前記記憶装置に送信することを特徴とする請求項２５記載の情報処理装置。
【請求項２７】
少なくとも前記エラーの場合の前記設定情報をディスプレイ画面に表示する表示手段を備えることを特徴とする請求項２５記載の情報処理装置。
【請求項２８】
前記受信手段で受信した前記処理の結果が正常の場合の前記設定情報を前記設定情報蓄積手段から削除する正常処理設定情報削除手段を備えることを特徴とする請求項２５記載の情報処理装置。
【請求項２９】
前記エラー処理実行手段は、操作者による操作に応じて前記処理を実行することを特徴とする請求項２５記載の情報処理装置。
【請求項３０】
前記エラー処理実行手段は、エラーの前記設定情報に関する操作者による操作に応じ、あらたな設定情報を生成し、前記記憶装置に送信することを特徴とする請求項２９記載の情報処理装置。
【請求項３１】
前記エラー設定情報保存手段による、エラーの前記設定情報を保存する動作と、
前記エラー処理実行手段による、エラーの前記設定情報に関する操作者による操作に応じ、あらたな設定情報を生成し、前記記憶装置に送信する動作と、
を繰り返し実行することを特徴とする請求項２９記載の情報処理装置。
【請求項３２】
前記エラー処理実行手段による、エラーの前記設定情報に関する操作者による操作は、該エラーの前記設定情報を前記設定情報蓄積手段から削除することを特徴とする請求項２９記載の情報処理装置。
【請求項３３】
前記エラー処理実行手段による、エラーの前記設定情報に関する操作者による操作は新たな設定情報の追加であることを特徴とする請求項２９記載の情報処理装置。
【請求項３４】
前記設定情報は、前記記憶装置が記憶する論理ボリュームの複製に関する設定の情報であることを特徴とする請求項２５記載の情報処理装置。
【請求項３５】
上位装置からの命令を受領してディスク装置へのデータの書き込み又は読み出しを実行し、前記ディスク装置へのデータの入出力を制御する制御部を有する記憶装置を管理する情報処理装置であって、
前記記憶装置による前記データの記憶に関する設定情報の入力画面を表示する表示手段と、
前記入力画面を介して入力される前記設定情報を蓄積する手段と、
前記記憶装置の前記制御部に対する、蓄積された前記設定情報の送信を指示するための領域を表示する設定情報送信指示領域表示手段と、
前記領域に対する操作入力を検出すると、前記制御部に対して前記設定情報を送信する設定情報送信手段と、
前記設定情報に対する処理の結果を前記記憶装置から受信する受信手段と、
前記処理の結果がエラーである前記設定情報を保存するエラー設定情報保存手段と、
前記エラーの前記設定情報に対する処理を実行するエラー処理実行手段と、
を備えることを特徴とする情報処理装置。
【請求項３６】
前記設定情報は、前記上位装置に記憶される情報と、前記ディスク装置の前記制御部に認識される情報とが対応付けられて構成される情報であることを特徴とする請求項３５に記載の情報処理装置。
【請求項３７】
請求項２５乃至３６のいずれかに記載の情報処理装置によって管理される記憶装置であって、
前記情報処理装置からの前記記憶装置の複数の設定情報を受信する手段と、
前記設定情報に基づき処理を実行する手段と、
前記実行の結果、少なくともエラーが発生した前記設定情報について前記情報処理装置に通知する手段と、
前記エラーが発生した前記設定情報に続く他の前記設定情報に関する処理の実行を続行する手段と、
を備えることを特徴とする記憶装置。
【請求項３８】
記憶装置を管理する情報処理装置に、
前記記憶装置が記憶する論理ボリュームとその複製との階層的な複製関係に関する設定情報を記憶する論理ボリューム複製情報記憶機能、
前記設定情報の前記複製関係を上位と下位の階層に分ける設定情報分類機能、及び
前記上位の階層の前記複製関係と前記下位の階層の前記複製関係とを別個に纏めてディスプレイの画面に表示する表示機能
を実現させるためのプログラム。
【請求項３９】
前記表示機能では、閲覧用に前記設定情報を一覧表示することを特徴とする請求項３８に記載のプログラム。
【請求項４０】
記憶装置を管理する情報処理装置に、
前記記憶装置が記憶する論理ボリュームとその複製との階層的な複製関係に関する設定情報を記憶する論理ボリューム複製情報記憶機能、
最上位の前記論理ボリューム及びその複製で構成される階層グループを単位として前記設定情報の前記複製関係を分類するグループ単位分類機能、
前記各階層グループ単位で並べ替えて表示すべく、各階層グループにおける最上位の前記論理ボリュームの設定情報に基づいて、前記各階層グループ単位で整理する階層グループ並べ替え機能、
前記階層グループにおいて、上位の階層における複製番号の小さい前記複製に関する前記複製関係をディスプレイ画面の上段に表示すべく選択する上段表示複製関係選択機能、
前記上段に表示される前記複製を正ボリュームとする下位の階層において、前記複製の前記複製関係を、その複製番号の昇順に前記上段に表示される前記複製関係の次段以降に表示すべく、整理する次段表示複製関係整理機能、
前記上段表示複製関係選択機能と前記次段表示複製関係整理機能とを全ての前記複製関係に対して順次実行することにより、全ての前記複製関係を分類する複製関係分類順次実行機能、及び、
分類された前記複製関係を前記ディスプレイ画面に表示する表示機能
を実現させるためのプログラム。
【請求項４１】
前記表示機能では、前記設定情報の編集に関する操作を受け付けるための前記画面に前記複製関係を一覧表示することを特徴とする請求項４０に記載のプログラム。
【請求項４２】
記憶装置が記憶する論理ボリュームとその複製との階層的な複製関係に関する設定情報を記憶する論理ボリューム複製情報記憶手段を備えた情報処理装置による情報処理方法であって、
前記設定情報の前記複製関係を上位と下位の階層に分ける設定情報分類ステップと、
前記上位の階層の前記複製関係と前記下位の階層の前記複製関係とを別個に纏めてディスプレイの画面に表示する表示ステップと、
を備えることを特徴とする情報処理方法。
【請求項４３】
前記表示ステップは、閲覧用に前記設定情報を一覧表示することを特徴とする請求項４２に記載の情報処理方法。
【請求項４４】
記憶装置が記憶する論理ボリュームとその複製との階層的な複製関係に関する設定情報を記憶する論理ボリューム複製情報記憶手段を備えた情報処理装置による情報処理方法であって、
最上位の前記論理ボリューム及びその複製で構成される階層グループを単位として前記設定情報の前記複製関係を分類するグループ単位分類ステップと、
前記各階層グループ単位で並べ替えて表示すべく、各階層グループにおける最上位の前記論理ボリュームの設定情報に基づいて、前記各階層グループ単位で整理する階層グループ並べ替えステップと、
前記階層グループにおいて、上位の階層における複製番号の小さい前記複製に関する前記複製関係をディスプレイ画面の上段に表示すべく選択する上段表示複製関係選択ステップと、
前記上段に表示される前記複製を正ボリュームとする下位の階層において、前記複製の前記複製関係を、その複製番号の昇順に前記上段に表示される前記複製関係の次段以降に表示すべく、整理する次段表示複製関係整理ステップと、
前記上段表示複製関係選択ステップと前記次段表示複製関係整理ステップとを全ての前記複製関係に対して順次実行することにより、全ての前記複製関係を分類する複製関係分類順次実行ステップと、
分類された前記複製関係を前記ディスプレイ画面に表示する表示ステップと、
を備えることを特徴とする情報処理方法。
【請求項４５】
前記表示ステップは、前記設定情報の編集に関する操作を受け付けるための前記画面に前記複製関係を一覧表示することを特徴とする請求項４４に記載の情報処理方法。
【請求項４６】
記憶装置を管理する情報処理装置であって、
前記記憶装置が記憶する論理ボリュームとその複製との階層的な複製関係に関する設定情報を記憶する論理ボリューム複製情報記憶手段と、
前記設定情報の前記複製関係を上位と下位の階層に分ける設定情報分類手段と、
前記上位の階層の前記複製関係と前記下位の階層の前記複製関係とを別個に纏めてディスプレイの画面に表示する表示手段と、
を備えることを特徴とする情報処理装置。
【請求項４７】
前記表示手段は、閲覧用に前記設定情報を一覧表示することを特徴とする請求項４６に記載の情報処理装置。
【請求項４８】
記憶装置を管理する情報処理装置であって、
前記記憶装置が記憶する論理ボリュームとその複製との階層的な複製関係に関する設定情報を記憶する論理ボリューム複製情報記憶手段と、
最上位の前記論理ボリューム及びその複製で構成される階層グループを単位として前記設定情報の前記複製関係を分類するグループ単位分類手段と、
前記各階層グループ単位で並べ替えて表示すべく、各階層グループにおける最上位の前記論理ボリュームの設定情報に基づいて、前記各階層グループ単位で整理する階層グループ並べ替え手段と、
前記階層グループにおいて、上位の階層における複製番号の小さい前記複製に関する前記複製関係をディスプレイ画面の上段に表示すべく選択する上段表示複製関係選択手段と、
前記上段に表示される前記複製を正ボリュームとする下位の階層において、前記複製の前記複製関係を、その複製番号の昇順に前記上段に表示される前記複製関係の次段以降に表示すべく、整理する次段表示複製関係整理手段と、
前記上段表示複製関係選択手段と前記次段表示複製関係整理手段とを全ての前記複製関係に対して順次実行することにより、全ての前記複製関係を分類する複製関係分類順次実行手段と、
分類された前記複製関係を前記ディスプレイ画面に表示する表示手段と、
を備えることを特徴とする情報処理装置。
【請求項４９】
前記表示手段は、前記設定情報の編集に関する操作を受け付けるための前記画面に前記複製関係を一覧表示することを特徴とする請求項４８に記載の情報処理装置。